(57)【特許請求の範囲】
【請求項１】
外部と連通しながら弁口を備えた弁室と、前記弁室に設けられたシールであって、前記弁口を封止して適合するとともに、前記弁室内を移動可能なシールとを備えた圧力弁と、
前記弁室の外部に設けられ、前記弁室の弁室壁に当接させ、または、前記弁口を封止させるように前記シールを駆動するための駆動装置と、を含み、
前記駆動装置は、本体部と、前記本体部に対して往復移動可能なプッシュロッドとを含む駆動源を含み、前記プッシュロッドの移動方向の先端が前記シールに対応して設けられることで、前記弁室の弁室壁に当接させ、または、前記弁口を封止させるように前記シールを駆動し、
前記弁室の弁室壁は、前記シールに対応して設けられた弾性変形可能な弾性壁を含み、前記駆動装置は、前記プッシュロッドに接続されるとともに、移動方向の先端が、前記弾性壁の外壁に対応して設けられる駆動部材をさらに含み、前記プッシュロッドにより駆動部材を往復移動させるように駆動することにより、前記駆動部材により前記弾性壁を弾性変形させて前記シールを移動させるようにすることで、前記弁室の弁室壁に当接させ、または、前記弁口を封止させるように前記シールを駆動し、前記駆動部材は、前記弾性壁に着脱可能に接続されていることを特徴とする弁部材。
【請求項２】
電源がオフの状態で、前記駆動装置は、前記シールを前記弁室の弁室壁に当接させるとともに、前記弁口から退避するように前記シールを駆動することを特徴とする請求項１に記載の弁部材。
【請求項３】
前記駆動装置は、弾性変形可能な弾性部材をさらに含み、前記駆動源は電動駆動源であり、前記弾性部材は、自体の弾性変形方向に位置する、一端が前記本体部に接続され、他端が前記プッシュロッドに接続された両端を有し、
前記プッシュロッドは、前記駆動源の非通電時に、前記弾性部材の作用によって、前記弁室の弁室壁に当接させるとともに、前記弁口から退避するように前記シールを駆動し、前記駆動源の通電時に、前記プッシュロッドを自体の移動方向の後端に向かって収縮させ、前記シールに前記弁口を封止させるように前記弾性部材を圧縮することを特徴とする請求項１に記載の弁部材。
【請求項４】
前記駆動源は電磁石であり、前記プッシュロッドは前記電磁石のコアであり、
または、前記駆動源は電動シリンダであり、前記プッシュロッドは前記電動シリンダのピストンロッドであり、
または、前記駆動源は、モータと、伝動部材と、伝動ロッドとを含み、前記伝動ロッドは前記伝動部材を介して前記モータに接続され、前記モータは、前記伝動ロッドを往復移動させるように駆動するために用いられ、前記プッシュロッドは前記伝動ロッドであることを特徴とする請求項１に記載の弁部材。
【請求項５】
前記モータの回動軸にはギヤが設けられており、
前記伝動ロッドには、前記ギヤと噛み合う直線型ラックが設けられており、または、前記伝動ロッドには、前記ギヤと噛み合う円弧型ラックが設けられていることを特徴とする請求項４に記載の弁部材。
【請求項６】
前記弾性壁には係合室が形成され、前記係合室は、前記弾性壁の外壁面に室口が形成され、前記室口の縁には、前記係合室の幅方向に延びた弾性係止縁が形成され、前記駆動部材の移動方向の先端には、前記駆動部材に接続される接続部と、前記接続部の前記駆動部材から離れた一端に接続される位置規制部とを含む係止ヘッドが設けられており、前記位置規制部は、自体の移動方向の周面に向かって突起が形成され、前記突起が前記弾性係止縁の内壁面に当接することを特徴とする請求項１に記載の弁部材。
【請求項７】
前記突起と前記弾性係止縁とがいずれも環状に設けられていることを特徴とする請求項６に記載の弁部材。
【請求項８】
前記弾性壁は別体であり、前記弁室の弁室壁には開口が設けられ、前記弾性壁の周縁には、環状凹溝が設けられており、前記環状凹溝の溝口が前記プッシュロッドの伸縮方向軸線に直交する方向に向いており、前記開口の縁は、前記環状凹溝の溝壁を封止して接続されていることを特徴とする請求項１に記載の弁部材。
【請求項９】
前記弾性壁の材料は、ゴムまたはシリカゲルであることを特徴とする請求項１に記載の弁部材。
【請求項１０】
外部と連通しながら弁口を備えた弁室と、前記弁室に設けられたシールであって、前記弁口を封止して適合するとともに、前記弁室内を移動可能なシールとを備えた圧力弁と、
前記弁室の外部に設けられ、前記弁室の弁室壁に当接させ、または、前記弁口を封止させるように前記シールを駆動するための駆動装置と、を含み、
前記駆動装置は、本体部と、前記本体部に対して往復移動可能なプッシュロッドとを含む駆動源を含み、前記プッシュロッドの移動方向の先端が前記シールに対応して設けられることで、前記弁室の弁室壁に当接させ、または、前記弁口を封止させるように前記シールを駆動し、
前記プッシュロッドの前記本体部から離れた先端周壁は、前記プッシュロッドの側方に向かって延びて突出リブを形成し、前記プッシュロッドの突出リブを有する箇所の断面は、前記突出リブの設けられない箇所の断面よりも広く、前記駆動装置は、駆動部材をさらに含み、前記駆動部材は、前記突出リブが前記プッシュロッドの移動方向の側方に沿って挿入される第１溝口と、プッシュロッドの軸方向に位置する第２溝口とを有する係止溝を有し、前記第２溝口の縁には、前記第２溝口の幅方向に延びる係止縁が形成され、前記突出リブは、前記係止縁の内壁面に当接することを特徴とする弁部材。
【請求項１１】
前記駆動部材は、環状板状に設けられ、前記係止溝は、前記駆動部材の内側縁に形成され、前記第１溝口は、前記駆動部材の側板面に形成され、前記第２溝口は、前記駆動部材の内側縁の端面に形成されるとともに、環状中心に対向し、前記駆動部材は、前記駆動源の外側に外装されていることを特徴とする請求項１０に記載の弁部材。
【請求項１２】
前記係止溝の前記第１溝口と対向する溝底は半円弧状を呈し、前記突出リブは円環状に設けられていることを特徴とする請求項１０に記載の弁部材。
【請求項１３】
前記駆動装置は、支持部材をさらに含み、前記駆動部材は板状部を含み、前記板状部の板面が前記支持部材に支持され、前記板状部には、前記板状部の板面を垂直に貫通する貫通溝が設けられ、前記貫通溝は、前記駆動部材の移動方向に沿って延び、前記支持部材には、前記貫通溝を貫通する弾性係止具が設けられ、前記弾性係止具は、前記支持部材から離れた一端に収縮可能な弾性先端が設けられ、前記弾性先端の外周面には、前記貫通溝の幅方向に沿った２本の溝縁と当接する位置規制フランジが設けられていることを特徴とする請求項１０に記載の弁部材。
【請求項１４】
前記弾性係止具は、対向して設けられ、前記支持部材に接続される２本の弾性アームを含み、２本の前記弾性アームの前記支持部材から離れた一端は、それぞれ反対向きに前記位置規制フランジを形成し、２つの前記位置規制フランジは、前記貫通溝の幅方向に沿った２本の溝縁とそれぞれ当接することを特徴とする請求項１３に記載の弁部材。
【請求項１５】
前記貫通溝と前記弾性係止具とが対になって設けられ、複数対設けられていることを特徴とする請求項１４に記載の弁部材。
【請求項１６】
前記弁部材は、弁蓋と弁座とをさらに含み、前記弁蓋は前記弁座に固着し、前記弁蓋と前記弁座とは前記弁室を形成し、前記弁部材は、ガスケットをさらに含み、前記弁座には前記弁口が開設され、前記シールが前記ガスケットに圧着・被覆されるとともに、前記弁口を閉塞することを特徴とする請求項１または請求項１０に記載の弁部材。
【請求項１７】
前記弁口は、前記弁座の中心に開設され、前記シールは、前記弁口を周方向において囲んでいることを特徴とする請求項１６に記載の弁部材。
【請求項１８】
前記弁座の前記シールに対向する面には、前記ガスケットが係止される収容溝が開設されていることを特徴とする請求項１７に記載の弁部材。
【請求項１９】
前記ガスケットの高さは前記収容溝の深さよりも大きいことを特徴とする請求項１８に記載の弁部材。
【請求項２０】
前記シールが当接する前記弁室の内壁には、前記シールの外形に適合する凹みが形成されていることを特徴とする請求項１または請求項１０に記載の弁部材。
【請求項２１】
頂部に鍋口を有する被炊飯物を収容するための鍋体と、
鍋体に蓋をし、前記鍋口を開閉するための蓋体と、
前記蓋体に設けられているとともに、前記弁口が前記鍋体内部と連通する請求項１または請求項１０に記載の弁部材と、を含むことを特徴とする炊飯器。
【請求項２２】
パネルとパネルに設けられた請求項１７に記載の弁部材とを含み、前記パネルには、前記弁座に整合する接続孔が開設され、前記弁座のシールから離れた一端が前記接続孔の孔壁に固着され、前記弁口が前記接続孔に連通していることを特徴とする炊飯器。
【請求項２３】
前記パネルと前記弁座との接続箇所にシールリングが設けられていることを特徴とする請求項２２に記載の炊飯器。
【発明の詳細な説明】
【技術分野】
【０００１】
本願は弁部材およびそれを備えた炊飯器に関する。
【背景技術】
【０００２】
従来の炊飯器では、炊飯器の炊飯効果を高めるために、「突沸」現象を利用して均一な炊飯の目標を実現する炊飯器が既に登場している。具体的には、該炊飯器の蓋体に圧力弁が設けられ、該圧力弁の弁室が外部と連通しながら、前記鍋体内部と連通する弁口を有し、弁室に弁口を封止可能なシールが設けられるとともに、該シールが弁室内を移動可能であり、駆動装置でシールを移動させるようにすることで、弁口を開閉でき、特定の圧力で弁口が開放されて「突沸」現象を実現する。
【０００３】
しかし、シールが弁室内を移動可能なので、炊飯器を搬送または移動させると、シールは弁室の弁室壁に衝突して騒音を生じることがある。
【発明の概要】
【発明が解決しようとする課題】
【０００４】
本願は主に、炊飯器が動いているときに、シールが弁室の中を移動し弁室の弁室壁に衝突して騒音を発生するという課題を解決するための弁部材およびそれを備えた炊飯器を提案することを目的とする。
【課題を解決するための手段】
【０００５】
上記の目的を実現するために、本願で提案されている弁部材は、外部と連通しながら弁口を備えた弁室と、前記弁室に設けられたシールであって、前記弁口を封止して適合するとともに、前記弁室内を移動可能なシールとを備えた圧力弁と、前記弁室の外部に設けられ、前記弁室の弁室壁に当接させ、または、前記弁口を封止させるように前記シールを駆動するための駆動装置と、を含む。
【０００６】
電源がオフの状態で、前記駆動装置は、前記シールを前記弁室の弁室壁に当接させるとともに、前記弁口から退避するように前記シールを駆動してもよい。
【０００７】
前記駆動装置は、本体部と、前記本体部に対して往復移動可能なプッシュロッドとを含む駆動源を含み、前記プッシュロッドの移動方向の先端が前記シールに対応して設けられることで、前記弁室の弁室壁に当接させ、または、前記弁口を封止させるように前記シールを駆動してもよい。
【０００８】
前記駆動装置は、弾性変形可能な弾性部材をさらに含み、前記駆動源は電動駆動源であり、前記弾性部材は、自体の弾性変形方向に位置する、一端が前記本体部に接続され、他端が前記プッシュロッドに接続された両端を有し、
前記プッシュロッドは、前記駆動源の非通電時に、前記弾性部材の作用によって前記弁室の弁室壁に当接させるとともに、前記弁口から退避するように前記シールを駆動し、前記駆動源の通電時に、前記プッシュロッドを自体の移動方向の後端に向かって収縮させ、前記シールに前記弁口を封止させるように前記弾性部材を圧縮してもよい。
【０００９】
前記駆動源は電磁石であり、前記プッシュロッドは前記電磁石のコアであり、
または、前記駆動源は電動シリンダであり、前記プッシュロッドは前記電動シリンダのピストンロッドであり、
または、前記駆動源は、モータと、伝動部材と、伝動ロッドとを含み、前記伝動ロッドは前記伝動部材を介して前記モータに接続され、前記モータは、前記伝動ロッドを往復移動させるように駆動するために用いられ、前記プッシュロッドは前記伝動ロッドであってもよい。
【００１０】
前記モータの回動軸にはギヤが設けられており、
前記伝動ロッドには、前記ギヤと噛み合う直線型ラックが設けられており、または、前記伝動ロッドには、前記ギヤと噛み合う円弧型ラックが設けられてもよい。
【００１１】
前記弁室の弁室壁は、前記シールに対応して設けられた弾性変形可能な弾性壁を含み、前記駆動装置は、前記プッシュロッドに接続されるとともに、移動方向の先端が、前記弾性壁の外壁に対応して設けられる駆動部材をさらに含み、前記プッシュロッドにより駆動部材を往復移動させるように駆動することにより、前記駆動部材により前記弾性壁を弾性変形させて前記シールを移動させるようにすることで、前記弁室の弁室壁に当接させ、または、前記弁口を封止させるように前記シールを駆動し、前記駆動部材は、前記弾性壁に着脱可能に接続されてもよい。
【００１２】
前記弾性壁には係合室が形成され、前記係合室は、前記弾性壁の外壁面に室口が形成され、前記室口の縁には、前記係合室の幅方向に延びた弾性係止縁が形成され、前記駆動部材の移動方向の先端には、前記駆動部材に接続される接続部と、前記接続部の前記駆動部材から離れた一端に接続される位置規制部とを含む係止ヘッドが設けられており、前記位置規制部は、自体の移動方向の周面に向かって突起が形成され、前記突起が前記弾性係止縁の内壁面に当接してもよい。
【００１３】
前記突起と前記弾性係止縁とがいずれも環状に設けられてもよい。
【００１４】
前記弾性壁は別体であり、前記弁室の弁室壁には開口が設けられ、前記弾性壁の周縁には、環状凹溝が設けられており、前記環状凹溝の溝口が前記プッシュロッドの伸縮方向軸線に直交する方向に向いており、前記開口の縁は、前記環状凹溝の溝壁を封止して接続されてもよい。
【００１５】
前記弾性壁の材料は、ゴムまたはシリカゲルであってもよい。
【００１６】
前記プッシュロッドの前記本体部から離れた先端周壁は、前記プッシュロッドの側方に向かって延びて突出リブを形成し、前記プッシュロッドの突出リブを有する箇所の断面は、前記突出リブの設けられない箇所の断面よりも広く、前記駆動部材には、前記突出リブが前記プッシュロッドの移動方向の側方に沿って挿入される第１溝口と、プッシュロッドの軸方向に位置する第２溝口とを有する係止溝を有し、前記第２溝口の縁には、前記第２溝口の幅方向に延びる係止縁が形成され、前記突出リブは、前記係止縁の内壁面に当接してもよい。
【００１７】
前記駆動部材は、環状板状に設けられ、前記係止溝は、前記駆動部材の内側縁に形成され、前記第１溝口は、前記駆動部材の側板面に形成され、前記第２溝口は、前記駆動部材の内側縁の端面に形成されるとともに、環状中心に対向し、前記駆動部材は、前記駆動源の外側に外装されてもよい。
【００１８】
前記係止溝の前記第１溝口と対向する溝底は半円弧状を呈し、前記突出リブは円環状に設けられてもよい。
【００１９】
前記駆動装置は、支持部材をさらに含み、前記駆動部材は板状部を含み、前記板状部の板面が前記支持部材に支持され、前記板状部には、前記板状部の板面を垂直に貫通する貫通溝が設けられ、前記貫通溝は、前記駆動部材の移動方向に沿って延び、前記支持部材には、前記貫通溝を貫通する弾性係止具が設けられ、前記弾性係止具は、前記支持部材から離れた一端に収縮可能な弾性先端が設けられ、前記弾性先端の外周面には、前記貫通溝の幅方向に沿った２本の溝縁と当接する位置規制フランジが設けられてもよい。
【００２０】
前記弾性係止具は、対向して設けられ、前記支持部材に接続される２本の弾性アームを含み、２本の前記弾性アームの前記支持部材から離れた一端は、それぞれ反対向きに前記位置規制フランジを形成し、２つの前記位置規制フランジは、前記貫通溝の幅方向に沿った２本の溝縁とそれぞれ当接してもよい。
【００２１】
前記貫通溝と前記弾性係止具とが対になって設けられ、複数対設けられてもよい。
【００２２】
弁部材は、弁蓋と弁座とをさらに含み、前記弁蓋は前記弁座に固着し、前記弁蓋と前記弁座とは前記弁室を形成し、前記弁部材は、ガスケットをさらに含み、前記弁座には前記弁口が開設され、前記シールが前記ガスケットに圧着・被覆されるとともに、前記弁口を閉塞してもよい。
【００２３】
前記弁口は、前記弁座の中心に開設され、前記シールは、前記弁口を周方向において囲んでもよい。
【００２４】
前記弁座の前記シールに対向する面には、前記ガスケットが係止される収容溝が開設されてもよい。
【００２５】
前記ガスケットの高さは、前記収容溝の深さよりも大きくてもよい。
【００２６】
前記シールが当接する前記弁室の内壁には、前記シールの外形に適合する凹みが形成されてもよい。
【００２７】
本願では、炊飯器も提供し、頂部に鍋口を有する被炊飯物を収容するための鍋体と、鍋体に蓋をし、前記鍋口を開閉するための蓋体と、外部と連通しながら弁口を備えた弁室と、前記弁室に設けられたシールであって、前記弁口を封止して適合するとともに、前記弁室内を移動可能なシールとを備えた、前記蓋体に設けられた圧力弁と、前記蓋体に設けられるとともに前記弁室の外部に設けられ、前記弁室の弁室壁に当接させ、または、前記鍋体の内部と連通する前記弁口を封止させるように前記シールを駆動するための駆動装置と、を含む。
【００２８】
本願は、パネルおよびパネルに設けられた弁部材を含む炊飯器をさらに提案し、前記弁部材は、弁蓋と弁座とをさらに含み、前記弁蓋は前記弁座に固着し、前記弁蓋と前記弁座とは前記弁室を形成し、前記弁部材は、ガスケットをさらに含み、前記弁座には前記弁口が開設され、前記シールが前記ガスケットに圧着・被覆されるとともに、前記弁口を閉塞し、前記パネルには、前記弁座に整合する接続孔が開設され、前記弁座のシールから離れた一端が前記接続孔の孔壁に固着され、前記弁口が前記接続孔に連通している。
【００２９】
前記パネルと前記弁座との接続箇所にシールリングが設けられてもよい。
【００３０】
本願の技術案は、駆動装置を用いて弁室の弁室壁に当接させるようにシールを駆動することにより、この弁部材の製品を適用すると、例えば、炊飯器が非作動状態で移動状態にあるとき、駆動装置の制御下でシールが弁室の弁室壁に当接するとともに、弁口から退避し、シールが弁室内でがたついて騒音が発生することを回避することができると同時に、炊飯器が正常に動作している状態では、シールに対する駆動装置の抵抗を消去してシールに弁口を封止させるとともに、炊飯器の内部が高圧状態では、駆動装置により弁室の弁室壁に当接させて弁口を開放させるようにシールを駆動することで、「突沸」現象を実現し、炊飯の均一化の目的を達する。
【図面の簡単な説明】
【００３１】
本願の実施例または従来技術における技術案をより明瞭に説明するために、以下、実施例または従来技術を記載するために使用する必要のある添付図面を簡潔に紹介する。下記記載の図面は本願の一実施例に過ぎないことは自明であり、当業者にとって、創造的な労力を払わないことを前提として、これらの図面に基づいて他の図面を取得できる。
【図１】図１は、本願に係る炊飯器の実施例の一部の構造の断面図である。
【図２】図２は、図１におけるＡの箇所の局部拡大図である。
【図３】図３は、図２におけるシールが弁室壁に当接する説明図である。
【図４】図４は、図２におけるＢ箇所の局部拡大図である。
【図５】図５は、図４における弾性壁の断面図である。
【図６】図６は、図４における駆動部材の一部の構造の断面図である。
【図７】図７は、図１における駆動源と駆動部材とが嵌合される説明図である。
【図８】図８は、図７におけるＣ箇所の局部拡大図である。
【図９】図７は、図７における駆動源と駆動部材とが嵌合される別の視角からの構造説明図である。
【図１０】図１０は、図９におけるＤ−Ｄ方向に沿った断面図である。
【図１１】図１１は、図９におけるＥ−Ｅ方向に沿った断面図である。
【図１２】図１２は、図１における駆動源、駆動部材と支持部材が嵌合される構造説明図である。
【図１３】図１３は、図１２におけるＦ−Ｆ方向に沿った断面図である。
【図１４】図１４は、図１における蓋体の別の実施例に係る断面図である。
【００３２】
本願の目的の実現、機能の特徴と利点について実施例と結び付けて、図面を参照してさらに説明する。
【発明を実施するための形態】
【００３３】
以下、本願の実施例中の図面と結び付けて、本願の実施例における技術案を明確かつ完全に説明する。説明する実施例は本願の全ての実施例ではなく、一部の実施例に過ぎないことは明らかである。本願における実施例に基づいて、当業者が創造的な労力を払わずに取得した他の実施例の全ては、本願の特許請求の範囲に属すべきである。
【００３４】
なお、本願の実施例に方向性指示（例えば、上、下、左、右、前、後…）がある場合、この方向性指示は、（図面に示すような）ある特定の姿勢での各部品間の相対的な位置関係や運動状況などを説明するためにのみ用いられ、その特定の姿勢が変化すると、それに応じてその方向性指示も変化する。
【００３５】
また、本願の実施例における「第１」、「第２」などに関する記載がある場合、この「第１」、「第２」などの記載は説明の目的でのみ用いられ、その相対的な重要性を指示または暗示し、または、指示する構成要件の数を暗に明記するとは理解できない。これにより、「第１」、「第２」で限定される構成要件により、この構成要件を少なくとも１つ含むことを明示し、または暗示できる。また、各実施例間の技術案は相互に結合できるが、当業者が実現可能であることを前提にしなければならず、技術案の結合が相互矛盾したり実現できなかったりした場合には、この技術案の結合は存在せず、本願の特許請求の範囲にも含まれないと考えられるべきである。
【００３６】
本願は、弁部材を提案している。
【００３７】
本願の実施例において、図１乃至図１４に示すように、該弁部材は、外部と連通しながら弁口２３を備えた弁室２１と、弁室２１に設けられたシール２２であって、弁口２３を封止して適合するとともに、弁室２１内を移動可能なシール２２とを備えた圧力弁２０と、弁室２１の外部に設けられ、弁室２１の弁室壁に当接させ、または、弁口２３を封止させるようにシール２２を駆動するための駆動装置と、を含む。
【００３８】
本願の技術案は、駆動装置１０を用いて弁室２１の弁室壁に当接させるようにシール２２を駆動することにより、この弁部材の製品を適用すると、例えば、炊飯器が非作動状態で移動状態にあるとき、駆動装置の制御下でシール２２が弁室２１の弁室壁に当接するとともに、弁口２３から退避し、シール２２が弁室２１内でがたついて騒音が発生することを回避することができると同時に、炊飯器が正常に動作している状態では、シール２２に対する駆動装置の抵抗を消去してシール２２に弁口２３を封止させるとともに、炊飯器の内部が高圧状態では、駆動装置により弁室２１の弁室壁に当接させて弁口２３を開放させるようにシールを駆動することで、「突沸」現象を実現し、炊飯の均一化の目的を達する。
【００３９】
本願では、弁部材は、電源がオフの状態で、駆動装置は、シール２２を弁室の弁室壁に当接させるとともに、弁口２３から退避するようにシール２２を駆動する。これにより、上記の効果を実現することができる。
【００４０】
図２と図３に示すように、弁室２１の弁室壁は、シール２２に対応して設けられた弾性変形可能な弾性壁２１３を含み、駆動装置１０は、本体部１１１と、本体部１１１に対して往復移動可能なプッシュロッド１１３とを含む駆動源１１と、プッシュロッド１１３に接続される駆動部材１２（駆動部材１２とプッシュロッド１１３とは一体的に成形されるものであると理解される）とを含み、プッシュロッド１１３は駆動部材１２を往復移動させるように駆動するために用いられ、駆動部材１２の移動方向の先端が弾性壁２１３の外壁に対応して設けられ、駆動部材１２により弾性壁２１３を弾性変形させてシール２２を移動させるようにすることで、弁口２３を開閉する。ここで、シール２２は、係止箇所を有する。このとき、シール２２は弁室２１の弁室壁間に係止されるとともに、弾性壁２１３に当接する。すなわち、弾性壁２１３の弾性変形によりシール２２を移動させるように駆動する。このように、シール２２を弁室２１の弁室壁間に係止することができるとともに、このとき、シール２２は弾性壁２１３と当接する。他の実施形態では、駆動部材１２が直接弁室２１内にはみだし、弾性壁２１３を介することなく、直接シール２２に抵触してもよいことが理解され、このような形態を採用すると、弁室２１の密閉性の問題を考慮する必要がある。
【００４１】
駆動装置の構造を簡素化するために、駆動源１１は、駆動部材１２を直線往復移動させるために設けられている。
【００４２】
具体的には、図２と図３に示すように、駆動源１１は、電磁石と、電磁石のコアに接続される弾性部材１３（弾性部材１３がばねとされる場合、一端がコアのコイル３１２から離れた一端に接続され、一端がコイル３１２に直接または間接的に抵触する）とを含むように設置してもよい。このとき、プッシュロッド１１３は電磁石のコアであり、駆動部材１２は電磁石のコアに接続され、電磁石が非通電の場合、弾性部材１３によるコアへの弾性力でコアを電磁石のコイルから遠ざけ、駆動部材１２は弾性壁２１３に当接し、シール２２は係止箇所にあり、すなわち、弁室壁に抵触して弁口２３から退避し、電磁石に通電すると、コアは弾性部材１３を圧縮し続けて、駆動部材１２を自体の移動方向の後端に収縮させ、すなわち、駆動部材１２のコイルから離れた一端がコイル方向に移動し、シール２２により弁口２３を封止できる。該弁部材を炊飯器に適用すると、炊飯器が非通電の状態で弾性部材１３の付勢力によって弾性壁２１３を変形させ、シール２２を移動させるようにするとともに、シール２２を弁室２１の弁室壁間に係止させることで、炊飯器を移動するときにシール２２が弁室２１内を移動して騒音が発生するという問題を解決する。炊飯器に電力が供給されて作動しているとき、電磁石のコア移動によって弾性壁２１３によるシール２２への作用を消去することで、シール２２に弁口２３を封止させ、炊飯器内の圧力を増大させることができ、かつ、炊飯器内の圧力が予め設定された圧力を超えると、すぐに電磁弁のコアによる作用力を消去して弾性部材１３の反力で同じく弾性壁２１３を変形させ、シール２２を移動させるようにすることで、弁口２３を開放して「突沸」現象を実現することができる。もちろん、他の実施例では、電磁弁のコアによる作用力を消去することを、電磁弁のコアによる作用力を適宜変化させるように設けることで、シール２２の固定を行わずに、弁口２３を開放する目的を達成するようにしてもよい。
【００４３】
電磁弁と基本的に同じ原理で、駆動源１１は、電動シリンダと、電動シリンダのピストンロッドに接続された弾性部材１３とを含むように設置しても良い。このとき、プッシュロッド１１３は電動シリンダのピストンロッドであり、駆動部材１２は電動シリンダのピストンロッドに接続され、電動シリンダが非通電の場合、ピストンロッドは弾性部材１３を圧縮し、弾性部材１３によるピストンロッドへの弾性力によってピストンロッドをシリンダのシリンダボアから遠ざけ、駆動部材１２は弾性壁２１３に当接し、シール２２は係止箇所にあり、電動シリンダに通電すると、ピストンロッドは弾性部材１３を圧縮し続けて、駆動部材１２を自体の移動方向の後端に収縮させ、シール２２により弁口２３を封止できる。この技術案によっても、弁室２１内でシール２２が移動することによる騒音の問題を解決することができる。それと同時に、「突沸」の現象も実現できる。
【００４４】
電磁弁と基本的に同じ原理で、駆動源１１は、モータと、モータに伝動部材を介して接続された伝動ロッドと、伝動ロッドに接続された弾性部材１３とを含むように設置してもよい。このとき、プッシュロッド１１３は伝動ロッドであり、駆動部材１２は伝動ロッドに接続される。モータが非通電の場合、伝動ロッドは弾性部材１３を圧縮し、弾性部材１３による伝動ロッドへの弾性力によって伝動ロッドが駆動部材１２を駆動部材１２の移動方向の先端に移動させるようにし、駆動部材１２は弾性壁２１３に当接し、シール２２は係合箇所にあり、モータに通電すると、モータにより伝動ロッドが弾性部材１３を圧縮し続けるように駆動し、駆動部材１２を自体の移動方向の後端に収縮させ、シール２２により弁口２３を封止できる。この技術案によっても、弁室２１内でシール２２が移動することによる騒音の問題を解決することができる。それと同時に、「突沸」の現象も実現できる。ここで、伝動ロッドに直線型ラックを設け、モータの回転軸に直線型ラックと噛み合うギヤを設けてもよい。このように、伝動ロッドの直線往復移動を実現する。この構造は簡単で実用的である。もちろん、伝動部材に伝動ロッドを含むように、ピストンと類似した移動を実現する構造を設けてもよい。もちろん、伝動ロッドにギヤと噛み合う円弧状のラックを設けることで、駆動部材１２の曲線移動を実現してもよい。
【００４５】
本実施例では、駆動部材１２と弾性壁２１３とは、着脱可能に接続されている。駆動部材１２と弾性壁２１３とが着脱可能に接続されるように設けられることで、駆動部材１２と弾性壁２１３との接続の安定性を高めることができ、弾性壁２１３を変形させる動作をより安定してシール２１にさらに安定して接触することで、シール２１により第１弁口２２をより安定して開閉できる。
【００４６】
具体的には、駆動部材１２と弾性壁２１３とはねじ構造や係止構造で接続可能である。よって、駆動部材１２と弾性壁２１３との着脱の便利性が向上する。ここで、駆動部材１２は、棒状構造でもよく、板状構造でもよい。
【００４７】
なお、本願で言及されている弾性変形可能な弾性壁２１３は、図５に示すように、自体の弾性構造により実現可能であり、例えば、該弾性壁２１３は、弾性変形可能な環状の弾性壁面を含んでもよく、具体的には、折曲壁面や波状面を設けてもよい。または、弾性材料から製造されるように弾性壁２１３を設けてもよく、例えば、ゴムやシリカゲルで弾性壁２１３を製造することを選択してもよい。もちろん、弾性壁２１３は、弾性構造を含むだけでなく、弾性材料で製造されるように設置してもよい。
【００４８】
図５と図６に示すように、本願では、弾性壁２１３には係合室２１３１が形成されるように設置しており、係合室２１３１は弾性壁２１３の外壁面に室口２１３２が形成され、室口２１３２の縁には、係合室２１３１の幅方向に延びた弾性係止縁２１３３が形成され、駆動部材１２の移動方向の先端には、駆動部材１２に接続された接続部１２１１と、接続部１２１１の駆動部材１２から離れた一端に接続された位置規制部１２１２とを含む係止ヘッド１２１が設けられており、位置規制部１２１２は、自体の移動方向の周面に向かって突起１２１３が形成され、突起１２１３が弾性係止縁２１３３の内壁面に当接する。これにより、駆動部材１２と弾性壁２１３との着脱を容易にするだけでなく、突起１２１３が弾性係止縁２１３３の内壁面に当接することで、両者の接続の安定性を補強し、係合室２１３１からの係止ヘッド１２１の抜けを防止できる。
【００４９】
係止ヘッド１２１と係合室２１３１との接続の安定性をさらに補強するために、突起１２１３と弾性係止縁２１３３をともに環状に設けることで、突起１２１３と弾性係止縁２１３３との当接面を増加させ、両者の接続を補強できる。もちろん、本願の他の実施例では、突起１２１３がストライプ状に設けられ、複数設けられてもよい。
【００５０】
係止ヘッド１２１が係合室２１３１に係合するのを容易にするために、突起１２１３の駆動部材１２から離れた一端にガイド角１２１３ａが形成されてもよい。例えば、突起１２１３の駆動部材１２から離れた一端に斜面や円弧面を設けてもよい。これにより、係止ヘッド１２１が係合室２１３１に挿入しやすくなる。
【００５１】
図３と図６に示すように、係止ヘッド１２１と駆動部材１２の設置を容易にするために、両者を一体成形して設けてもよい。例えば、射出成形を用いても良く、簡単で実用的であり、さらにコストを下げることもできる。ただし、駆動部材１２の安定性を高めるように、駆動部材１２の肉厚をほぼ一定に保つように設けることに注意する必要がある。
【００５２】
シール２２が弁室２１の弁室壁に当接する安定性を高めるために、シール２２が当接する弁室２１の弁室壁の内壁面に、シール２２の外形に適合する凹みを設けるように設置しても良い。これにより、シール２２と弁室壁との間の摩擦力を強め、シール２２が弁室壁から外れることを防止する。
【００５３】
シール２２の弁室２１内での移動の円滑性及びシール２２により弁口２３を封止する安定性の向上を実現するために、シール２２を球形に設ける。
【００５４】
弁室２１の弁室壁の構造は一般的に比較的安定した構造に設けられると考えられ、弾性壁２１３の設置を容易にするために、弾性壁２１３を別体に設け、弁室２１の弁室壁には開口（不図示）が設けられ、弾性壁２１３の周縁には環状凹溝２１３４が設けられており、環状凹溝２１３４の溝口は駆動部材１２の伸縮方向軸線に直交する方向に向いており、開口を形成する縁は環状凹溝２１３４の溝壁を封止して接続されてもよい。このように、弾性壁２１３が弾性変形すると、開口を形成する縁が環状凹溝２１３４の溝壁に対して反力を有し、弾性壁２１３が開口から脱離することが防止され、弁室２１内の蒸気が駆動装置に侵入することが防止される。もちろん、本願の他の実施例では、弾性壁２１３が弁室２１の他の弁室壁と一体的に成形するように設置してもよい。この場合、弾性壁２１３が弾性構造を有するように設置することで、弾性壁２１３の弾性変形を実現してもよい。
【００５５】
図７と図８に示すように、プッシュロッド１１３の本体部から離れた先端周壁は、プッシュロッド１１３の側方に向かって延びて突出リブ１１３１を形成し、プッシュロッド１１３の突出リブ１１３１を有する箇所の断面は、突出リブ１１３１の設けられない箇所の断面よりも広い。駆動装置１０は駆動部材１２をさらに含み、駆動部材１２は、突出リブ１１３１がプッシュロッド１１３の移動方向の側方に沿って挿入される第１溝口１２２１と、プッシュロッド１１３の軸方向に位置する第２溝口１２２２とを有する係止溝１２２を有し、第２溝口１２２２の縁には、第２溝口１２２２の幅方向に延びる係止縁１２２３が形成され、突出リブ１１３１は、係止縁１２２３の内壁面に当接する。
【００５６】
本願の技術案は、プッシュロッド１１３の本体部から離れた先端周壁がプッシュロッド１１３の側方に向かって延びて突出リブ１１３１を形成し、リブ１１３１が係止縁１２２３の内壁面に当接することで、すなわち、突出リブ１１３１と係止溝１２２との係合によってプッシュロッド１１３と駆動部材１２との接続を実現する。よって、駆動部材１２とプッシュロッド１１３との接続効率を高めるだけでなく、両者の接続の安定性を確保することができ、構造もより簡単である。
【００５７】
図７〜図１０に示すように、駆動部材１２を環状板状に設け、係止溝１２２が駆動部材１２の内側縁に形成され、第１溝口１２２１が駆動部材１２の側板面に形成され、第２溝口１２２２が駆動部材１２の内側縁の端面に形成されるとともに、環状中心に対向し、駆動部材１２は駆動源１１の外側に外装される。これにより、駆動部材１２の構造の安定性を高め、プッシュロッド１１３により駆動部材１２を移動させるように駆動する安定性を実現することができる。
【００５８】
駆動部材１２とプッシュロッド１１３との接続の安定性をさらに補強するために、図８と図１１に示すように、駆動部材１２とプッシュロッド１１３との間の接続面を大きくし、両者間の摩擦力を向上させるように、係止溝１２２の第１溝口１２２１と対向する溝底は半円弧状を呈し、それに応じて突出リブ１１３１を円環状に設けてもよい。
【００５９】
駆動部材１２の直線移動の安定性を補強するために、図１２と図１３に示すように、駆動装置１０は、支持部材１４をさらに含み、駆動部材１２は板状部１２４を含み、板状部１２４の板面が支持部材１４に支持され、板状部１２４は、板状部１２４の板面を垂直に貫通する貫通溝１２４１が設けられ、貫通溝１２４１は、駆動部材１２の移動方向に沿って延び、支持部材１４には、貫通溝１２４１を貫通する弾性係止具１４１が設けられ、弾性係止具１４１は、支持部材１４から離れた一端に収縮可能な弾性先端が設けられ、弾性先端の外周面には、貫通溝１２４１の幅方向に沿った２本の溝縁と当接する位置規制フランジ１４１１が設けられている。これにより、支持部材１４と弾性先端との間に駆動部材１２が係止されることで、駆動部材１２の移動時に他の方向にずれることを効果的に防止できる。
【００６０】
具体的には、図１２と図１３に示すように、該弾性係止具１４１は、対向して設けられ、支持部材１４に接続される２本の弾性アーム２１３を含み、２本の弾性アーム２１３の支持部材１４から離れた一端は、それぞれ反対向きに位置規制フランジ１４１１を形成し、２つの位置規制フランジ１４１１は、貫通溝１２４１の幅方向に沿った２本の溝縁とそれぞれ当接する。これにより、駆動部材１２は支持部材１４と位置規制フランジ１４１１との間に規制されることで、駆動部材１２の移動の安定性を確保できる。該駆動部材１２の移動の安定性をさらに補強するために、貫通溝１２４１と弾性係止具１４１とが対になって設けられ、複数対設けられてもよい。このとき、駆動部材１２の縁が浮き上がるのを防止するように、貫通溝１２４１を駆動部材１２の周縁に沿って等間隔に設けてもよい。図１２に示すように、３対が設けられており、ここで、２対が対向して設けられ、もう１対が前記２対の対称線上に設けられている。
【００６１】
弁部材は、弁蓋２１１と弁座２１２を含み、弁蓋２１１は弁座２１２に固着し、弁蓋２１１と弁座２１２とが弁室２１を形成し、弁部材はガスケット２４をさらに含み、弁座２１２には弁口２３が開設され、シール２２がガスケット２４に圧着・被覆されるとともに、弁口２３を閉塞する。
【００６２】
本実施例では、炊飯器が作動しているとき、その蒸煮空間は密閉空間で、内部の蒸気圧力が一定値に達したとき、強い圧力で蓋体１００を持ち上げるようになる。このとき、弁部材を開放する必要があり、すなわち、蒸気圧でシール２２をガスケット２４から離間させながら弁口２３を開放し、蒸気の一部を抜いて、内部の蒸気圧力を常に一定の所望値に保ち、料理の食感を確保する。炊飯器は、弁部材に一般的に弾力性のある軟性材料のガスケット２４が設けられていることで、シート２２と接触したときに、シート２２がガスケット２４を押し当てて、わずかに変形させてシート２２の外面に密着させることで、シート２２が弁口２３を緊密に閉塞でき、該炊飯器内部の蒸気圧力が所望する正確な値になることが確保され、炊飯器の炊飯効果をより良好にする。従って、この構造の弁部材はシール性が良いなどの利点がある。ガスケット２４の材質はシリカゲルやゴムでもよく、他の弾性材料でもよい。
【００６３】
図１４を参照して、具体的には、弁口２３が弁座２１２の中心に開設され、ガスケット２４が弁口２３を周方向において囲んでいる。
【００６４】
本実施例では、弁口２３が弁座２１２の中心に開設されており、該弁座２１２に対する蒸気圧力の衝撃力を比較的均一にすることができ、弁部材の構造の安定性と使用寿命が確保される。同時に、ガスケット２４は、弁口２３を周方向において囲んでおり、シール２２が弁口２３を閉塞するときに、その周方向の全部がガスケット２４に接触するようになっており、シール効果をよりよく発揮できる。
【００６５】
引き続き図２を参照して、弁座２１２のシール２２に対向する面には、ガスケット２４が係止される収容溝２１２１が開設されている。
【００６６】
本実施例では、弁座２１２にガスケット２４と整合する収容溝２１２１を設けることにより、ガスケット２４が弾性力を有する材料なので、ガスケット２４と収容溝２１２１との間をしまりばめにして、ガスケット２４を収容溝２１２１に強固に係止することができ、簡単で便利で、組み立てが容易である。ガスケット２４の断面形状は環状で、シール２２に近い側の幅が大きく、シール２２から離れた側の幅が小さく、シール２２とガスケット２４との接触面積をより大きくすることができ、封止をより厳密にし、収容溝２１２１の形状をそれに適合させる。もちろん、ガスケット２４は接着によって弁座２１２に固定してもよい。
【００６７】
ガスケット２４の高さは、収容溝２１２１の深さよりも大きくてもよい。
【００６８】
本実施例では、ガスケット２４の高さを収容溝２１２１の深さよりも大きくすると、ガスケット２４を弁座２１２のシール２２に対向する面に突出させ、ガスケット２４を弁口２３の開口よりも高くすることで、シール２２が弁口２３を閉塞する際に弁口２３の周囲のガスケット２４に接触しやすくなり、より良好なシール効果を達する。同時に、該ガスケット２４を一定時間使用すると、磨耗があっても良好なシール作用を発揮できるため、該構造の弁部材は、長い使用寿命で交換頻度を低減し、資源を節約できる。
【００６９】
蓋体２１１には弁室２１に連通する吐出孔２１１１が開設されている。
【００７０】
本実施例では、弁座２１２の弁口２３を通過した蒸気を直ちに外部に排出できるように、蓋体２１１には弁室２１に連通する吐出孔２１１１が開設されており、炊飯器の内部の蒸気が弁口２３を介して弁室２１に排出されるとき、外部に連通する吐出孔２１１１を介して外部に排出できるようになっている。この構造の設置は、弁部材をより安全で使いやすいものにすることができる。
【００７１】
本願は、炊飯器を提案している。
【００７２】
本願の実施例では、図１に示すように、該炊飯器は、頂部に被炊飯物を出し入れするための開口を有する被炊飯物を収容するための鍋体２００と、鍋体２００に蓋をし、開口を開閉するための蓋体１００と、外部と連通しながら鍋体１０内部と連通する弁口２３を備えた弁室２１と、弁室２１に設けられたシール２２であって、弁口２３を封止して適合するとともに、弁室２１内を移動可能なシール２２とを備え、蓋体１００に設けられた圧力弁２０と、弁室２１の外部に設けられ、弁室２１の弁室壁に当接させ、または、弁口２３を封止させるようにシール２２を駆動するための駆動装置と、を含む。
【００７３】
本実施例では、蓋体１００は、パネル３０の外側に固着されたハウジング（不図示）をさらに含み、保護作用と装飾作用を発揮する。弁部材とパネル３０との接続は、カシメ、係止またはその他の接続方式でもよく、着脱可能な接続方式を用いて、弁部材の取付や交換を容易にできる。本実施例では、弁部材はパネル３０にカシメによって固定される。
【００７４】
本願の一実施例では、炊飯器は、弁座２１２に整合する接続孔３１が開設されたパネル３０と、パネル３０に設けられた弁部材とを含み、弁座２１２のシール２２から離れた一端が接続孔３１の孔壁に固着され、弁口２３が接続孔３１に連通する。
【００７５】
本実施例では、蓋体１００のパネル３０に接続孔３１が設けられており、この接続孔３１の孔壁は階段状になっており、弁座２１２のシール２２から離れた一端の形状はこれに合わせており、折り曲げ縁を設けることで、弁座２１２と接続孔３１の孔壁とをよりよく係合し位置決めし、さらに固定部材を用いて固定することで、該構造が安定して強固であると理解される。蓋体１００は炊飯器の炊飯器本体（不図示）に蓋をし、両者の間に調理空間が形成され、蓋体１００の接続孔３１が調理空間に直接連通し、弁口２３と接続孔３１を連通させることで、調理空間の蒸気を一定の圧力で直ちに抜くことができる。これにより、炊飯器の蒸気圧力が常に調理に必要な圧力を維持することが確保され、良好な調理効果が得られる。
【００７６】
これと同時に、パネル３０と弁座２１２との接続箇所にはシールリング３３が設けられている。弁座２１２とパネル３０との接続に隙間がなく、気体漏れの現象がないように確保され、該蓋体１００のシール性をさらに高め、炊飯器内の蒸気圧が必要な有効値に達することが確保される。
【００７７】
上記は本願の好ましい実施例に過ぎず、これにより本願の保護範囲を制限するものではない。本願の発明思想を基に、本願の明細書および図面の内容を利用してなされた等価構造変換、あるいは直接/間接的に他の関連技術分野に適用されるものは本願の保護範囲に含まれるべきである。
【符号の説明】
【００７８】
１００…蓋体、１４１１…位置規制フランジ、１０…駆動装置、１４１２…弾性アーム、１１…駆動源、２０…圧力弁、１１１…本体部、２１…弁室、１１３…プッシュロッド、２１１…弁蓋、１１３１…突出リブ、２１１１…吐出孔、１２…駆動部材、２１２…弁座、１２１…係止ヘッド、２１２１…収容溝、１２１１…接続部、２１３…弾性壁、１２１２…位置規制部、２１３１…係合室、１２１３…突起、２１３２…室口、１２１３ａ…面取り、２１３３…弾性係止縁、１２２…係止溝、２１３４…環状凹溝、１２２１…第１溝口、２２…シール、１２２２…第２溝口、２３…弁口、１２２３…係止縁、２４…ガスケット、１２４…板状部、３０…パネル、１２４１…貫通溝、３１…接続孔、１３…弾性部材、３３…シールリング、１４…支持部材、２００…鍋体、１４１…弾性係止具。
【図１】
0006794549.tif 000002
【図２】
0006794549.tif 000003
【図３】
0006794549.tif 000004
【図４】
0006794549.tif 000005
【図５】
0006794549.tif 000006
【図６】
0006794549.tif 000007
【図７】
0006794549.tif 000008
【図８】
0006794549.tif 000009
【図９】
0006794549.tif 000010
【図１０】
0006794549.tif 000011
【図１１】
0006794549.tif 000012
【図１２】
0006794549.tif 000013
【図１３】
0006794549.tif 000014
【図１４】
0006794549.tif 000015